(57)【要約】【課題】本発明は、この構造の手袋はペットや小型動物と遊ぶ時にペットが好むとともに、ペットの爪による引っかき傷や歯又は牙（以下歯又は牙を総称して牙と記す）で噛まれた時の怪我を防止することを目的とする。すなわち本考案は、人の痛みや怪我を防止しかつペットのストレスを緩和でき、動物も人も楽しく、快適に安全に動物との遊び方を広げ、接することが可能になり前述の欠点を解決しようとするものである。【解決手段】本発明は、指や手、腕を保護する長さで爪や歯が貫通しにくい二重構造の生地を使用し、動物も楽しく遊べるように起毛タイプの生地を用い、望ましくは動物の興味を引く為に飾りを設けた５本指の手ぶくろで、動物側のストレスと人に怪我や傷痕がつく問題点を解決している。【選択図】図６
2019099962.tif 000002
【特許請求の範囲】
【請求項１】
表面に遊戯用起毛部を有する第１の繊維シートの裏面に、動物の爪又は牙の貫通を防止し手及び前腕を保護する第２の繊維シートを重ね、前記起毛部を有する第1繊維シートの生地がフェルト生地、キルティング生地よりなる前記第2の繊維シートの生地がフリースよりなり前記第1の繊維シートより第2の繊維シートの繊維密度が高いことを特徴とする保護手袋。
【請求項２】
表面に遊戯用起毛部を有する第１の繊維シートの裏面に、動物の爪又は牙の貫通を防止し手及び前腕を保護する第２の繊維シートを重ね、前記起毛部を有する第1繊維シートの生地がフェルト生地、ウール生地、ニット生地、シャーリング加工タオル生地、ネル生地、コーディロイ生地よりなり、前記第2の繊維シートの生地がキルティング生地よりなり前記第1の繊維シートより第2の繊維シートの繊維密度が高いことを特徴とする保護手袋。
【請求項３】
第1繊維シートと第2繊維シートの間に空間部が形成され、前記両シートが摺動することを特徴とする請求項１又は２に記載の保護手袋。
【請求項４】
５本指部、掌部、手の甲部が両シートで覆われていることを特徴とする請求項１又は２記載の保護手袋。
【請求項５】
手の先端部又は甲に遊戯用飾りを設けたことを特徴とする請求項１又は２記載の保護手袋。
【発明の詳細な説明】
【技術分野】
【０００１】
ペット、小型動物と遊ぶ時、接触をする時に爪のひっかけ傷等から手を保護する保護手袋に関する。
【背景技術】
【０００２】
ペット、小型動物と遊ぶ時、接触をする時に爪のひっかけ傷や噛まれた時の歯型の傷跡がつく。
【先行技術文献】
【特許文献】
【０００３】
【特許文献１】実登３１３８６２９
【発明の概要】
【発明が解決しようとする課題】
【０００４】
上記の文献には、愛玩動物の牙や爪から人間の手や腕を保護する作業性の良い手袋が記載され、この手袋はアラミド繊維又はこの上にゴムをコーティングした構造が示されている。しかしながら、この文献の手袋は、動物病院やトリミング、ペットショップでの動物の対応作業用であって、ペットの遊戯用途は考慮されていない。この構造の手袋は本発明者が実験したところアラミド繊維のみでは動物の牙や爪が貫通することが判明した。また、ゴムをコーティングしたものは、ペット（猫）が嫌がり警戒して近寄らないことも分かった。
【課題を解決するための手段】
【０００５】
本発明は、この構造の手袋はペットや小型動物と遊ぶ時にペットが好むとともに、ペットの爪による引っかき傷や歯又は牙（以下歯又は牙を総称して牙と記す）で噛まれた時の怪我を防止することを目的とする。すなわち本発明は、人の痛みや怪我を防止しかつペットのストレスを緩和でき、動物も人も楽しく、快適に安全に動物との遊び方を広げ、接することが可能とし、前述の欠点を解決しようとするものである。本発明は、指や手、腕を保護する為に指先から肘あたりまである長さで牙や爪が貫通しにくい二重構造の生地を使用し、動物も楽しく遊べるように起毛タイプの生地を用い、望ましくは動物の興味を引く為に飾りを設けた５本指の手ぶくろで、動物側のストレスと人に怪我や傷痕がつく問題点を解決している。本発明は、表面に遊戯用起毛部を有する第１の繊維シートの裏面に、動物の爪又は牙の貫通を防止し手及び前腕を保護する第２の繊維シートを重ね、前記起毛部を有する第1繊維シートの生地がフェルト生地、キルティング生地よりなり、前記第2の繊維シートの生地がフリースよりなり前記第1の繊維シートより第2の繊維シートの繊維密度が高いことを特徴とする保護手袋を提供する。又本発明は、表面に遊戯用起毛部を有する第１の繊維シートの裏面に、動物の爪又は牙の貫通を防止し手及び前腕を保護する第２の繊維シートを重ね、前記起毛部を有する第1繊維シートの生地がフェルト生地、ウール生地、ニット生地、シャーリング加工タオル生地、ネル生地、コーディロイ生地よりなり、前記第2の繊維シートの生地がキルティングよりなり前記第1の繊維シートより第2の繊維シートの繊維密度が高いことを特徴とする保護手袋提供する。上記構成において本発明は、第1繊維シートと第2繊維シートの間に空間部が形成され、前記両シートが摺動することを特徴とする保護手袋を提供する。本発明は上記構成において、５本指部、掌部、手の甲部が両シートで覆われていることを特徴とする保護手袋を提供する。本発明は上記において、手の先端部又は甲に遊戯用飾りを設けたことを特徴とする保護手袋を提供する。
【発明の効果】
【０００６】
本発明の保護具はペットなどの愛玩動物と遊ぶ際、手や腕に怪我や傷痕がつきにくく、病原菌が傷から感染しにくくするのは勿論、動物と人との遊び方を広げ人と動物両方のストレスを解放するのに役立つ。  
【図面の簡単な説明】
【０００７】
【図１】本発明の保護手袋の実施例である保護手袋の右手甲側全体図
【図２】本発明の保護手袋の右手掌側全体図
【図３】本発明に使用するフェルト生地フリース生地又はキルティング生地２層タイプの生地断面図
【図４】本発明に使用するフェルト生地フリース生地又はキルティング生地２層タイプ生地断面図
【図５】図１保護手袋のA-A’線の断面図
【図６】保護手袋の良い例（爪又は牙が貫通しない例）の断面図
【図７】保護手袋の良い例の断面図
【図８】保護手袋の良い例の断面図
【図９】保護手袋の悪い例（爪又は牙が貫通した例）の断面図
【図１０】保護手袋の悪い例の断面図
【図１１】保護手袋の悪い例の断面図
【図１２】第1繊維シートと第2繊維シートの間に接着芯が有る良い例の断面図
【図１３】第1繊維シートと第2繊維シートの間に接着芯が有る良い例の断面図
【図１４】本発明の保護手袋の使用状態図
【図１５】本発明の保護手袋の使用状態図
【図１６】本発明の保護手袋の使用状態図
【図１７】本発明の保護手袋の使用状態図
【図１８】本発明の保護手袋の他の例の外観図
【発明を実施するための形態】
【０００８】
本発明の保護手袋は指先から肘あたりまでの長さと５本指を有するものが望ましく、素材は牙や爪が簡単に貫通しないよう第1繊維シートと第2繊維シートからなり、ペットも心地よい素材で興味を引き出すため第1繊維シートは起毛生地よりなり、好ましくは飾りを施すことで身近にペットと接することが自由自在となる。第2繊維シートは牙や爪が貫通しにくい生地を用いる。本発明をするにいたった経緯を説明する。先ず、本発明者は子猫を飼うことになり世話をしていく中で、子猫と一緒に遊ぶ時、家族の者や、親しい方の腕や手が引っかき傷や噛み跡により痛々しい様子を見て肘あたりまで覆う長い手袋があれば良いと考えた。一般的な猫との遊び道具は、よく市販されている猫じゃらしなどで猫の興味を引き出し猫じゃらしを追いかけさせたりジャンプさせたり、少し猫との距離を置く遊びが主流である。身近で遊ぼうとするとクッションや毛布などの物陰の下に指先を動かしその動きを猫が狙い飛びかかったりする遊び方となり、その時に傷を受けたりする。また、遊びの際、肘から下の腕に猫が前足と後ろ足で腕に絡みつき抱きかかえる姿勢(クリンチ)で蹴りを入れてくる動きに加え、噛みつくことは猫がよくする遊びである。このとき、皮膚に引っかき傷や噛み跡を受ける。このような傷を受けないために最初はキッチンにあるゴム手袋で猫の遊び相手をしてみたところ猫はゴムの感触を警戒して嫌がり近寄らなかった。そこで軍手（前述したアラミド繊維使用も含む）を使用し相手したところ警戒しつつ手に絡んでくるが軍手の生地は目が荒く簡単に牙や爪が皮膚に刺さった。次に市販のフリース生地素材の手袋で遊んだが生地は薄く軍手の時と同じく牙や爪が貫通した。そこで次に厚手の生地である道着の袖にゴムを通し腕につけて使用した。これも綿の厚手であるが目が荒く簡単に牙や爪が貫通し皮膚を傷つけた。
【０００９】
猫はよく腕に抱きつき爪を立てて噛みつく動きが好きである。この動きに対応するため肘を覆うまでの長さがある手袋が必要になりミシンと数種類の生地を用意した。用意した生地はフェルト生地(２mm)、ニット生地（２mm）、ウール生地（２ｍｍ）、ネル生地（２ｍｍ）、コーディロイ生地（３ｍｍ）、シャーリング加工タオル生地（３ｍｍ）、キルティング薄手生地等である。前記の生地よりなる第1繊維シートは起毛タイプを使用した。なぜなら、動物は毛足のある起毛タイプのものやウール素材を好む。始めに起毛薄手生地の一枚もので指先から肘あたりまでの手袋を製作し猫と遊んでみたが牙や爪が貫通した。この時猫の反応も良かったので第2繊維シートを重ねることで皮膚を保護できるかと思い組み合わせを研究することになった。行き着いたのが第2繊維シートはフリース生地とキルティング生地が肌触り指の動き製作過程がよく猫の牙や爪の貫通がなかった。第1繊維シートは毛足のある起毛生地を用いることで猫は警戒することなくリラックスし遊ぶ。第1繊維シートと第2繊維シートを重ねることで間に空間部ができることにより、カーブした動物の爪の角度と繊維シートが動物の動きによってずれ動く（摺動）ことで第2繊維シートに貫通しにくくなる。牙に対しても同じ状況になり皮膚までとどきにくい形態となる。前記の形態状況で家庭で飼育する愛玩動物に小型犬や鳥やリス、鋭い牙や爪がある動物にも対応できる。また第1繊維シートの指先に羽根や目玉や小さなボンボリをとり付け物陰から猫にチラッと見せたところとても楽しそうに遊び満足し、飼い主に親しみを感じるのか良く甘えてきた。小型犬のジャックラッセルテリアと愛玩動物遊戯用保護手袋を付けロープの引っ張り合いをして遊んだ。以前はロープを掴んでいる指先まで牙が迫って時には牙が指の極まできて傷つくこともあったがそんな心配もなく楽しく遊べた。
【００１０】
なお、生地によっては第1繊維シートと第2繊維シートの間に接着芯を合わせて空間部が無い状態でも牙又は爪の貫通が無く製作しやすく手の動きもスムーズであることが判明した。本発明の保護手袋は装着することでペットの猫や犬、鳥など家庭で一緒に過ごす小型の動物との遊びの幅を広げることができる。この手袋を用いることで遊ぶ時に牙又は爪によって人の手や腕に痛みや傷がつくことのストレスをなくすことと、室内で過ごすことでできるストレスともっと遊びたい気持ちを我慢するペット側のストレスを緩和し、発散することができる。保護手袋の素材は動物の興味をそそる起毛を有するネル生地、コーディロイ生地、フリース生地、ウール生地、ニット生地、フェルト生地、キルティング生地の素材で目の詰まった生地を重ねて作ることで簡単に牙又は爪が貫通するのを防ぐように作ることができる。さらに手袋先端にペットの好奇心をそそる飾りのビーズ、羽根、ボンボリで目のようなビーズ２個と耳のように見える飾り、尻尾を施すことで遊び方が増えて楽しく遊ぶことができる。
【実施例】
【００１１】
以下、本発明の実施の形態を図に基づいて説明する。図において、４は第1繊維シート、４b、４c、4d、4eはシート４の具体生地を示し、６は第2繊維シート、６a、６b、６ｅ、6dはシート６の具体生地を示す。４ｂコーディロイ生地３ｍｍ、４ｃはフェルト生地２ｍｍ、４ｄはニット生地２ｍｍ、４eはシャーリング加工タオル生地３mm、６a はフリース生地２ｍｍ、６ｂはキルティング薄手生地を示す。
【００１２】
図１において、１aは５本指部を有する保護手袋１の右手甲側本体で、愛玩動物の牙や爪が貫通して怪我や傷が手や腕につきにくくすることができる。２は滑り止め部保護手袋１の本体が肘で止まるようゴムで縮めて滑り止めのためである。  図２において、１bは保護手袋の右手掌側本体であり、その親指、人差し指、中指の先に導電部材３を施しタッチパネルの操作が保護手袋の脱着をしなくても安易にできるために取り付けられている。図３は生地4ｄと生地6aのものを重ね合わせた保護手袋を作った場合の断面図である。図４はフリース生地（4cと6a）のものを重ね合わせた保護手袋１を作った場合の断面図である。
【００１３】
図５は図１のA-A’の断面図であり、第1繊維シート４と第2繊維シート６の間には空間部５が設けられている構造となっている。
図６、図７、図８に示す各実施例において第1繊維シート４（４ｃ、４ｄ、４e、）と第2繊維シート６（６a、6b、）の間には空間部５を設けてあり、第1繊維シート４の生地がある事で牙又は爪７が引っかかり第1繊維シートを貫いても空間部５があるため牙又は爪７が引っかかった第1繊維シートがずれ動く（X方向に摺動する）ので牙又は爪７の角度が変わる。その結果、第2繊維シートまで牙又は爪７が届いても腕まで届きにくい。生地と生地との接合部８の縫目部分も厚みがあるため手・腕１１まで牙又は爪７が届きにくい。図９に示すように、第1繊維シート４eとして起毛の毛が細く繊維の密度のない生地４eは、第2繊維シート6aにも牙又は爪７が届き貫通しやすく手・腕１１に怪我や傷がつきやすい。Zは傷ついた部分を示す。図１０は、ニット生地４ｄからなる第1繊維シートだけの一枚シートで成形すると牙又は爪７が手・腕１１に貫通し直接皮膚に届き傷つき易い。図１１は生地4dと薄手生地６d、又は６eを使用した図である。ニット生地４ｄ自体牙又は爪７が貫通しやすく第2繊維シートに薄手生地６ｄ、６eを合わせても牙又は爪７が貫通することを防ぐことができない。
【００１４】
図１２、図１３においては第1繊維シート４e、４b、４ｄと第2繊維シート６b、６aの間に接着芯２１を介してアイロン等で圧接して生地と生地を合わせた使用状態（良い例）の断面図である。空間部が無い状態でも牙又は爪７が貫通はなく製作時生地と生地がY方向にずれることがないので製作しやすく指の動きもスムーズである。
なお、接着芯２１での接着時、圧接（プレス）力をかけすぎるとフリース生地６aが薄くなる事があり、プレスをかけすぎない事が望ましい。
【００１５】
図１４は、本発明の保護手袋１を装着し猫１８が手腕にしがみついて遊んでいる時の使用状態である。
【００１６】
図１５は、本発明の保護手袋１を装着しロープ１２を持って犬２０と引っ張って遊んでいる時の使用状態である。
【００１７】
図１６、図１７は、本発明の保護手袋１を装着し物（イスの背もたれ２２、クッション１９）の陰から指先を動かし猫の好奇心を誘う飾りのビーズ１３と羽根１４を狙って猫が指に飛びつき遊んでいる時の使用状態である。
【００１８】
図１８は、本発明の保護手袋１に、愛玩動物が興味を持つ飾りのビーズ１３と羽根１４とボンボリ１５と甲側に目のようなビーズ２個１３と模写した耳１７と模写した尻尾１６を施した拡大図である。
【００１９】
表１は、本発明者が作成した手袋を用いて、猫の牙又は爪７の貫通状況をテスト（実験）した表である。
【００２０】
発明者は多くの材料で試験してみた。実験の結果その内、この表１は使用可能な例を記載したものである。表１において、無は牙又は爪７の貫通が無い事、有は同貫通が有る事を示す。指の動きの優は着用した時の指の動きが優れている事を示す。良はそれよりも動きが劣るけれども、この用途に使用可能である事を示す。
【表１】
2019099962.tif 000003
【００２１】
尚、本発明の保護手袋は、第１図に示す５本指部を有しないミトンタイプ（親指以外の４本指全体が包まれている構造）も用いることができる。
【符号の説明】
【００２２】
１        保護手袋
１a      保護手袋の右手甲側
１b      保護手袋の右手掌側
２        滑り止め部
３        導電部材
A            保護手袋の断面
４         第1繊維シート
４b      コーディロイ生地
４c      フェルト生地２ｍｍ
４d      ニット生地２ｍｍ
４e      シャーリング加工タオル生地３ｍｍ
4f       ネル生地２ｍｍ
4g           ウール生地２ｍｍ
４h      キルティング薄手生地
５        空間部
６        第2繊維シート
６a       フリース生地２mm
６b      キルティング薄手生地
6e          綿薄手生地
6d      ビロード薄手生地
７        爪
８        第1繊維シートと第2繊維シートの接合部の縫目
９        キルティング生地の表裏の生地
１０      キルティング生地の中綿
１１      手・腕
１２      ロープ
１３      ビーズ
１４      羽根
１５      ボンボリ
１６      尻尾
１７      耳
１８      猫
１９      クッション
２０      犬
２１      接着芯
２２      イスの背もたれ
【図１】
2019099962.tif 000004
【図２】
2019099962.tif 000005
【図３】
2019099962.tif 000006
【図４】
2019099962.tif 000007
【図５】
2019099962.tif 000008
【図６】
2019099962.tif 000009
【図７】
2019099962.tif 000010
【図８】
2019099962.tif 000011
【図９】
2019099962.tif 000012
【図１０】
2019099962.tif 000013
【図１１】
2019099962.tif 000014
【図１２】
2019099962.tif 000015
【図１３】
2019099962.tif 000016
【図１４】
2019099962.tif 000017
【図１５】
2019099962.tif 000018
【図１６】
2019099962.tif 000019
【図１７】
2019099962.tif 000020
【図１８】
2019099962.tif 000021